(57)【要約】      （修正有）【課題】固定でき、通風、排水、防湿機能を有する吸盤式フロアマットを提供する。【解決手段】吸盤式フロアマットは本体１を備え、本体１は上下サポートリブ１０、１１が縦横に交差して配列し構成され、本体１の底面には吸盤１２を設置し、相互に隣接する上下サポートリブ１０、１１間には縦方向開口１３を設置し、各下サポートリブ１１底面には凹槽１４を備え、本体１の両方の隣接する側辺には連接構造１５をそれぞれ設置し、これにより相互に隣接する吸盤式フロアマットは連結する。【選択図】図１
0003181549.tif 000002
【実用新案登録請求の範囲】
【請求項１】
吸盤式フロアマットは本体を備え、前記本体は上下サポートリブが縦横に交差して配列し構成され、前記本体の底面には吸盤を固定し、相互に隣接する前記上下サポートリブ間には縦方向開口を設置し、前記各下サポートリブ底面には凹槽を備え、前記本体の両方の隣接する側辺には少なくとも１個の連接構造をそれぞれ設置することを特徴とする吸盤式フロアマット。
【請求項２】
前記凹槽は弧状を呈することを特徴とする請求項１に記載の吸盤式フロアマット。
【請求項３】
前記連接構造は前記２個の本体を相互に接続し、前記本体の内の１個の相互に隣接する二辺は外へと連接片を突出し、前記連接片は前記連接片を貫通する貫通孔を備え、前記本体の相互に隣接する二辺において前記連接片の貫通孔に対応し、下方へと連接柱を突出しこれにより前記２個の本体を組み合わせて接続する時に、前記連接柱は前記連接片の貫通孔内に嵌合することを特徴とする請求項１に記載の吸盤式フロアマット。
【請求項４】
吸盤式フロアマットは各フロアマットユニットを接続して構成し、前記各フロアマットユニットは上下に配列する上下サポートリブを縦横に交差させて構成し、前記各フロアマットユニット底面には吸盤を設置し、前記各フロアマットユニットの相互に隣接する上下サポートリブ間には縦方向開口を設置し、前記各下サポートリブ底面には凹槽を備えることを特徴とする吸盤式フロアマット。
【請求項５】
前記凹槽は弧状を呈することを特徴とする請求項４に記載の吸盤式フロアマット。
【考案の詳細な説明】
【技術分野】
【０００１】
本考案は吸盤式フロアマットに係わり、特に固定、通風、排水、防湿機能を備える吸盤式フロアマットに関する。
【背景技術】
【０００２】
フロアマットは主に床面に置き、使用者が踏むものである。
一般には浴室、プールサイド或いは他の湿った場所において使用し、使用者が滑って転倒することを防止し物品を湿った床面/地面から隔離することができる。
【０００３】
従来のフロアマットは表面上に縦方向の貫通口を備え排水の便を図る。
しかし従来のフロアマットの固定性は不十分であり、軽く接触しただけで置いていた位置から離れ、人が踏むと滑って転倒の危険性がある。
本考案は従来のフロアマットの上記した欠点に鑑みてなされたものである。
【考案の概要】
【考案が解決しようとする課題】
【０００４】
本考案が解決しようとする課題は、固定、通風、排水、防湿機能を備える吸盤式フロアマットを提供することである。
【課題を解決するための手段】
【０００５】
上記課題を解決するため、本考案は下記の吸盤式フロアマットを提供する。
吸盤式フロアマットは本体を備え、該本体は上下サポートリブが縦横に交差して配列し構成され、該本体の底面には吸盤を固定し、相互に隣接する該上下サポートリブ間には、縦方向開口を設置し該各下サポートリブ底面には凹槽を備え、該本体の両方の隣接する側辺には連接構造をそれぞれ設置し、これにより相互に隣接する吸盤式フロアマットは連結する。
【考案の効果】
【０００６】
本考案の吸盤式フロアマットは、良好な固定、通風、排水、防湿機能を備える。
【図面の簡単な説明】
【０００７】
【図１】本考案第一実施例の立体図である。
【図２】本考案第二実施例の立体図である。
【図３】本考案第一、第二実施例の組合せ模式図(一)である。
【図４】本考案第一、第二実施例の組合せ模式図(二)である。
【図５】本考案第一、第二実施例の組合せ使用模式図(一)である。
【図６】本考案第一、第二実施例の組合せ使用模式図(二)である。
【図７】本考案第一、第二実施例の組合せ断面図(一)である。
【図８】本考案第一、第二実施例の組合せ断面図(二)である。
【図９】本考案第三実施例の組合せ模式図(一)である。
【図１０】本考案第三実施例の組合せ断面図(二)である。
【図１１】本考案第四実施例の立体図である。
【図１２】本考案第四実施例の使用模式図(一)である。
【図１３】本考案第四実施例の使用模式図(二)である。
【図１４】本考案第四実施例の使用模式図(三)である。
【考案を実施するための形態】
【０００８】
以下に図面を参照しながら本考案を実施するための最良の形態について詳細に説明する。
【実施例】
【０００９】
図１に示すように、本考案第一実施例は本体１を備える。
【００１０】
本体１は上方位置にある上サポートリブ１０、下方位置にある下サポートリブ１１が、縦横に交差して配列し構成される。底面には吸盤１２を設置する。
相互に隣接する上下サポートリブ１０、１１間には縦方向開口１３を設置する。各下サポートリブ１１底面には弧状凹槽１４を備える。本体１の両方の隣接する側辺には連接構造１５をそれぞれ設置する。
連接構造１５は外へと突出する連接片１５０で、連接片１５０頂点面には連接片１５０を貫通する貫通孔１５１を備える。
【００１１】
図２に示すように本考案第二実施例において第一実施例との相違点は、連接構造１５が本体１底面において上記した連接片１５０位置に対応し、下方へと連接柱１５２を突出する点である。相互に隣接する２個のフロアマット本体１が相互に組み合わされて接合すると、連接柱１５２は連接片１５０の貫通孔１５１内に嵌合し相互に接合される。その他機能及び構成部品は第一実施例と相同であるためさらなる記載は行わない。
【００１２】
図３、４に示すように、本考案第二実施例の本体１の連接柱１５２は、第一実施例のフロアマット本体１の連接片１５０の貫通孔１５１内に挿入される。これにより第一、第二実施例の本体１は相互に結合し、使用面積を拡大することができる(図５、６参照)。その他機能は第一実施例と相同であるためさらなる記載は行わない。
【００１３】
図７〜１０に示すように、本考案第三実施例において第一、第二実施例との相違点は、本体１と吸盤１２との接続方法にある。第一、第二実施例の本体１と吸盤１２は固定して接続する(図７、８参照)。
しかし第三実施例の本体１と吸盤１２との間の結合は、本体１底面に槽口が下向きの収容設置槽１６を備え、収容設置槽１６に吸盤１２頂点端が上方へと延伸する接合柱１２０を溶接する(図９、１０参照)方式である。その他機能は第一、第二実施例と相同であるためさらなる記載は行わない。
【００１４】
本考案第二実施例の本体１の連接柱１５２は、第一実施例の本体１の連接片１５０の貫通孔１５１内に挿入される。これにより第一、第二実施例の本体１は相互に結合する。両者を結合後２個の本体１を平面２上に置き、さらに２個の本体１の吸盤１２をそれぞれ押す。これにより２個の本体１の吸盤１２を平面２上に吸着させ、２個の本体１を平面２に固定し使用面積を拡大し、しかも固定効果を備える(図１０参照)。
【００１５】
別に本体１の開口１３と凹槽１４は排水を助けることができ、さらに通風及び防湿効果を備える(図１、２参照)。また本考案の第一、第二、第三実施例は２個の本体１だけを接合する例に限定するものではない。
【００１６】
図１０〜１４に示すように、第四実施例において他の実施例との相違点は、第四実施例はフロアマットユニット１を接続して構成される点である。しかも各フロアマットユニット１は、上下サポートリブ１０、１１を縦横に交差させて構成する。各フロアマットユニット１底面には吸盤１２を設置する。各フロアマットユニット１の相互に隣接する上下サポートリブ１０、１１間には、縦方向開口１３を設置する。各下サポートリブ１１底面には弧状凹槽１４を備える。
【００１７】
使用時には第四実施例のフロアマットユニット１を裁断後、カップ３をフロアマットユニット１上に置き、カップを自然に乾燥させることができる(図１２参照)。或いはコンピューター本体４をフロアマットユニット１上に置けばコンピュータ本体は地面と接触せず、これにより防湿機能を備える(図１３参照)。或いは第四実施例を室内５に敷いて設置後余った部分を裁断すれば、室内５を徒歩で移動する際の快適性が向上する。
【００１８】
本考案は以下の長所及び効果を備える。
1.  本体１底面には吸盤１２を設置し本体１の吸盤１２により平面４上に吸着でき、このようにして本体１を平面４に固定し固定効果を発揮することができる。
2.  本体１は開口１３と凹槽１４を備えるため排水性を向上することができ、さらに通風性と防湿性の効果も備える。
3.  フロアマットユニットを使用する場所の面積に係わらず、使用者の必要な長さに応じて敷設することができる。
【００１９】
上記の本考案名称と内容は、本考案技術内容の説明に用いたもので本考案を限定するものではない。本考案の精神に基づく等価応用或いは部品（構造）の転換、置換、数量の増減はすべて、本考案の保護範囲に含むものとする。
【符号の説明】
【００２０】
１      本体、フロアマットユニット
１０    上サポートリブ
１１    下サポートリブ
１２    吸盤
１３    開口
１４    凹槽
１５    連接構造
１５０  連接片
１５１  貫通孔
１５２  連接柱
１６    収容設置槽
１２０  接合柱
２      平面
３      カップ
４      コンピューター本体
５      室内
【図１】
0003181549.tif 000003
【図２】
0003181549.tif 000004
【図３】
0003181549.tif 000005
【図４】
0003181549.tif 000006
【図５】
0003181549.tif 000007
【図６】
0003181549.tif 000008
【図７】
0003181549.tif 000009
【図８】
0003181549.tif 000010
【図９】
0003181549.tif 000011
【図１０】
0003181549.tif 000012
【図１１】
0003181549.tif 000013
【図１２】
0003181549.tif 000014
【図１３】
0003181549.tif 000015
【図１４】
0003181549.tif 000016